【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
任意のトップコート層と、
ｉｎ−ｓｉｔｕで重合され、着色されたキャリア層と、
任意の他の着色層と、
任意の接着層と、
を備えているペイントフィルムアップリケ。
【請求項２】
請求項１に記載のペイントフィルムアップリケにおいて、前記ペイントフィルムアップリケが不透明である、ペイントフィルムアップリケ。
【請求項３】
請求項１または２に記載のペイントフィルムアップリケにおいて、前記キャリア層が顔料を含む、ペイントフィルムアップリケ。
【請求項４】
請求項１から３のいずれか一項に記載のペイントフィルムアップリケにおいて、前記着色層はｉｎ−ｓｉｔｕで重合される、ペイントフィルムアップリケ。
【請求項５】
請求項１から４のいずれか一項に記載のペイントフィルムアップリケにおいて、前記キャリア層が欠陥フリーである、ペイントフィルムアップリケ。
【請求項６】
請求項１から５のいずれか一項に記載のペイントフィルムアップリケにおいて、前記キャリア層がポリウレタン系である、ペイントフィルムアップリケ。
【請求項７】
請求項１から６のいずれか一項に記載のペイントフィルムアップリケにおいて、前記ｉｎ−ｓｉｔｕで重合されたキャリア層が、未反応の溶媒を基本的に含んでいない、ペイントフィルムアップリケ。
【請求項８】
請求項１から７のいずれか一項に記載のペイントフィルムアップリケにおいて、前記ペイントフィルムアップリケは、前記トップコート層と、前記ｉｎ−ｓｉｔｕで重合されたキャリア層と、前記他の着色層と、前記接着層とをこの順に備える、ペイントフィルムアップリケ。
【請求項９】
請求項１から８のいずれか一項に記載のペイントフィルムアップリケにおいて、前記ペイントフィルムアップリケは、前記トップコート層と、前記他の着色層と、前記ｉｎ−ｓｉｔｕで重合されたキャリア層と、前記接着層とをこの順に備える、ペイントフィルムアップリケ。
【請求項１０】
請求項１から８のいずれか一項に記載のペイントフィルムアップリケにおいて、前記ペイントフィルムアップリケは、前記トップコート層と、前記ｉｎ−ｓｉｔｕで重合されたキャリア層と、前記接着層とをこの順に備える、ペイントフィルムアップリケ。
【請求項１１】
請求項１から１０のいずれか一項に記載のペイントフィルムアップリケにおいて、前記トップコート層を備えるペイントフィルムアップリケ。
【請求項１２】
請求項１から１１のいずれか一項に記載のペイントフィルムアップリケにおいて、前記トップコート層がポリウレタン系である、ペイントフィルムアップリケ。
【請求項１３】
請求項１から１２のいずれか一項に記載のペイントフィルムアップリケにおいて、損失係数試験法に従って単体フィルムとして検査した場合、前記ｉｎ−ｓｉｔｕで重合されたキャリア層のピーク損失係数が少なくとも０．５である、ペイントフィルムアップリケ。
【請求項１４】
請求項１から１３のいずれか一項に記載のペイントフィルムアップリケにおいて、損失係数試験法に従って単体フィルムとして検査した場合、前記ｉｎ−ｓｉｔｕで重合されたキャリア層のピーク損失係数が少なくとも３５℃の温度付近で生じる、ペイントフィルムアップリケ。
【請求項１５】
請求項１から１４のいずれか一項に記載のペイントフィルムアップリケにおいて、損失係数試験法に従って単体フィルムとして検査した場合、前記ｉｎ−ｓｉｔｕで重合されたキャリア層の半値損失係数が、４０℃未満の温度間隔にわたって生じる、ペイントフィルムアップリケ。
【請求項１６】
請求項１から１５のいずれか一項に記載のペイントフィルムアップリケにおいて、前記接着層が設けられており、かつ感圧接着剤を含む、ペイントフィルムアップリケ。
【請求項１７】
請求項１６に記載のペイントフィルムアップリケにおいて、前記接着層の外面に剥離フィルムをさらに備える、ペイントフィルムアップリケ。
【請求項１８】
請求項１から１７のいずれか一項に記載のペイントフィルムアップリケにおいて、前記ペイントフィルムアップリケの全体厚さが１３０ミクロンよりも薄い、ペイントフィルムアップリケ。
【請求項１９】
請求項１から１８のいずれか一項に記載のペイントフィルムアップリケであって、モータ付き乗り物の表面を塗装するために用いられる、ペイントフィルムアップリケ。
【請求項２０】
少なくとも１つの表面の少なくとも一部に、請求項１から１９のいずれか一項に記載のペイントフィルムアップリケを備える物品。
【請求項２１】
請求項２０に記載の物品において、前記物品がモータ付き乗り物である、物品。
【請求項２２】
請求項１から１９のいずれか一項に記載のペイントフィルムアップリケを形成する方法であって、前記他の着色層が設けられており、少なくとも前記ｉｎ−ｓｉｔｕで重合されたキャリア層と前記着色層とが、ｉｎ−ｓｉｔｕで重合されて同時に前記少なくとも２つの層を形成する重合性組成物の共押出成形によって形成される、方法。
【請求項２３】
請求項１から１９のいずれか一項に記載のペイントフィルムアップリケを形成する方法であって、
前記他の着色層が設けられて、流涎される、方法。
【請求項２４】
請求項１から１９のいずれか一項に記載のペイントフィルムアップリケを形成する方法であって、
前記他の着色層が設けられて、有機溶媒溶液から流涎される、方法。
【請求項２５】
請求項１から１９のいずれか一項に記載のペイントフィルムアップリケを形成する方法であって、
前記他の着色層が設けられて、水性溶液から流涎される、方法。
【手続補正２】
【補正対象書類名】明細書
【補正対象項目名】０１１６
【補正方法】変更
【補正の内容】
【０１１６】
本明細書に記載された全ての理論は、更なる試験および分析に応じて変更される可能性
がある。よって、発明者は、本明細書で述べたいかなる理論（例えば、ペイントフィルム
アップリケおよびペイントフィルムアップリケに含まれる各層と共に記載した物理的特性
に寄与する要因についての理論）による限定も意図していない。
なお、本発明は、態様として以下の内容を含む。
〔態様１〕
任意のトップコート層と、
ｉｎ−ｓｉｔｕで重合され、着色されたキャリア層と、
任意の他の着色層と、
任意の接着層と、
を備えているペイントフィルムアップリケ。
〔態様２〕
態様１に記載のペイントフィルムアップリケにおいて、前記ペイントフィルムアップリケが不透明である、ペイントフィルムアップリケ。
〔態様３〕
態様１に記載のペイントフィルムアップリケにおいて、前記キャリア層が顔料を含む、ペイントフィルムアップリケ。
〔態様４〕
態様１に記載のペイントフィルムアップリケにおいて、前記着色層はｉｎ−ｓｉｔｕで重合される、ペイントフィルムアップリケ。
〔態様５〕
態様１に記載のペイントフィルムアップリケにおいて、前記キャリア層が欠陥フリーである、ペイントフィルムアップリケ。
〔態様６〕
態様１に記載のペイントフィルムアップリケにおいて、前記キャリア層がポリウレタン系である、ペイントフィルムアップリケ。
〔態様７〕
態様１に記載のペイントフィルムアップリケにおいて、前記ｉｎ−ｓｉｔｕで重合されたキャリア層が、未反応の溶媒を基本的に含んでいない、ペイントフィルムアップリケ。
〔態様８〕
態様１に記載のペイントフィルムアップリケにおいて、前記ペイントフィルムアップリケは、前記トップコート層と、前記ｉｎ−ｓｉｔｕで重合されたキャリア層と、前記他の着色層と、前記接着層とをこの順に備える、ペイントフィルムアップリケ。
〔態様９〕
態様１に記載のペイントフィルムアップリケにおいて、前記ペイントフィルムアップリケは、前記トップコート層と、前記他の着色層と、前記ｉｎ−ｓｉｔｕで重合されたキャリア層と、前記接着層とをこの順に備える、ペイントフィルムアップリケ。
〔態様１０〕
態様１に記載のペイントフィルムアップリケにおいて、前記ペイントフィルムアップリケは、前記トップコート層と、前記ｉｎ−ｓｉｔｕで重合されたキャリア層と、前記接着層とをこの順に備える、ペイントフィルムアップリケ。
〔態様１１〕
態様１に記載のペイントフィルムアップリケにおいて、前記トップコート層を備えるペイントフィルムアップリケ。
〔態様１２〕
態様１１に記載のペイントフィルムアップリケにおいて、前記トップコート層がポリウレタン系である、ペイントフィルムアップリケ。
〔態様１３〕
態様１に記載のペイントフィルムアップリケにおいて、損失係数試験法に従って単体フィルムとして検査した場合、前記ｉｎ−ｓｉｔｕで重合されたキャリア層のピーク損失係数が少なくとも約０．５である、ペイントフィルムアップリケ。
〔態様１４〕
態様１に記載のペイントフィルムアップリケにおいて、損失係数試験法に従って単体フィルムとして検査した場合、前記ｉｎ−ｓｉｔｕで重合されたキャリア層のピーク損失係数が少なくとも約３５℃の温度付近で生じる、ペイントフィルムアップリケ。
〔態様１５〕
態様１に記載のペイントフィルムアップリケにおいて、損失係数試験法に従って単体フィルムとして検査した場合、前記ｉｎ−ｓｉｔｕで重合されたキャリア層の半値損失係数が、約４０℃未満の温度間隔にわたって生じる、ペイントフィルムアップリケ。
〔態様１６〕
態様１に記載のペイントフィルムアップリケにおいて、前記接着層が設けられており、かつ感圧接着剤を含む、ペイントフィルムアップリケ。
〔態様１７〕
態様１６に記載のペイントフィルムアップリケにおいて、前記接着層の外面に剥離フィルムをさらに備える、ペイントフィルムアップリケ。
〔態様１８〕
態様１に記載のペイントフィルムアップリケにおいて、前記ペイントフィルムアップリケの全体厚さが約１３０ミクロンよりも薄い、ペイントフィルムアップリケ。
〔態様１９〕
少なくとも１つの表面の少なくとも一部に、態様１に記載のペイントフィルムアップリケを備える物品。
〔態様２０〕
態様１９に記載の物品において、前記物品がモータ付き乗り物である、物品。
〔態様２１〕
態様１に記載のペイントフィルムアップリケを用いてモータ付き乗り物の表面を塗装する方法であって、
態様１に記載の前記ペイントフィルムアップリケを提供することと、
前記モータ付き乗り物の前記表面に前記シートを適用することと、
を含む方法。
〔態様２２〕
態様１に記載のペイントフィルムアップリケを形成する方法であって、前記他の着色層が設けられており、少なくとも前記ｉｎ−ｓｉｔｕで重合されたキャリア層と前記着色層とが、ｉｎ−ｓｉｔｕで重合されて同時に前記少なくとも２つの層を形成する重合性組成物の共押出成形によって形成される、方法。
〔態様２３〕
態様１に記載のペイントフィルムアップリケを形成する方法であって、
前記他の着色層が設けられて、流涎される、方法。
〔態様２４〕
態様１に記載のペイントフィルムアップリケを形成する方法であって、
前記他の着色層が設けられて、有機溶媒溶液から流涎される、方法。
〔態様２５〕
態様１に記載のペイントフィルムアップリケを形成する方法であって、
前記他の着色層が設けられて、水性溶液から流涎される、方法。